(57)【要約】【課題】洗浄機本体の前面側のみならず、上面側からでも食器類を出し入れできる利便性を保ちつつ、洗浄運転中に洗浄水が外部に噴出するなどの不具合発生を確実に防止することができる食器洗浄機を提供する。【解決手段】洗浄機本体１の前面側と上面側とにそれぞれ前面開口部３と上面開口部４とを形成し、前面開口部３から食器類が収納される洗浄槽２の出し入れを、上面開口部４には上面扉７０を設けて食器類の出し入れを可能にするとともに、制御手段５８によって、洗浄運転時と待機時に応じて、それぞれ洗浄槽位置検出手段５３および上面扉位置検出手段８０の検出出力に基づいて、洗浄槽２をロックする洗浄槽ロック機構４０と上面扉７０をロックする上面扉ロック機構７２とを互いに連係制御して不具合発生を防止する。【選択図】図２
2010099392.tif 000002
【特許請求の範囲】
【請求項１】
洗浄すべき食器類が収容されるように少なくとも上部が開口した洗浄槽と、
前記洗浄槽を収納して洗浄運転を実行する洗浄機本体と、
前記洗浄機本体の前面側に設けられて前記洗浄槽が出し入れされる前面開口部と、
前記洗浄機本体の上面側に設けられて食器類が出し入れされる上面開口部と、
前記前面開口部を開閉する前面扉と、
前記上面開口部を開閉する上面扉と、
前記洗浄槽が前記洗浄機本体から引き出されないようにロックする洗浄槽ロック機構と、
前記上面扉が開放されないようにロックする上面扉ロック機構と、
前記洗浄槽の収納位置を検出する洗浄槽位置検出手段と、
前記上面扉の開閉位置を検出する上面扉位置検出手段と、
前記洗浄運転時と洗浄運転が行われていない待機時に応じて、それぞれ前記洗浄槽位置検出手段および前記上面扉位置検出手段の検出出力に基づいて、前記洗浄槽ロック機構と前記上面扉ロック機構とを互いに連係して制御する制御手段と、
を備えることを特徴とする食器洗浄機。
【請求項２】
前記制御手段は、前記洗浄運転時において、前記洗浄槽ロック機構を制御して前記洗浄槽をロック状態にし、かつ、前記上面扉ロック機構を制御して前記上面扉をロック状態にするものであることを特徴とする請求項１記載の食器洗浄機。
【請求項３】
前記制御手段は、前記待機時において、上面扉位置検出手段の検出出力に基づいて上面扉が開かれていると判断した場合には、前記洗浄槽ロック機構を制御して前記洗浄槽をロック状態にする一方、前記洗浄槽位置検出手段の検出出力に基づいて前記洗浄槽が引き出されていると判断した場合には、前記上面扉ロック機構を制御して前記上面扉をロック状態にするものであることを特徴とする請求項１記載の食器洗浄機。
【請求項４】
前記制御手段は、洗浄運転指令が入力された場合には、洗浄運転の開始前に予め前記洗浄槽位置検出手段および上面扉位置検出手段の検出出力に基づいて前記洗浄槽が前記洗浄機本体内の所定位置に収納され、かつ、前記上面扉が閉じられているか否かを判断し、前記洗浄槽が洗浄機本体内に収納されていない状態と、前記上面扉が閉じられていない状態の少なくとも一方の状態であるときには警報を発するものであることを特徴とする請求項１記載の食器洗浄機。
【請求項５】
前記洗浄槽が前記洗浄機本体内の所定位置まで収納されたときには前記洗浄槽の上部の前記開口周辺にクランプされ、前記洗浄槽が前記洗浄機本体から引き出されたときには前記洗浄槽から離間するように、前記洗浄槽の出し入れに応じて連動する内側フレームを備え、前記上面扉はこの内側フレームに開閉自在に取り付けられていることを特徴とする請求項１〜４のいずれかに記載の食器洗浄機。
【請求項６】
前記洗浄槽ロック機構は、前記洗浄槽に被係止部が配設され、前記洗浄機本体には前記洗浄槽が前記洗浄機本体の所定収納位置に収納されたときに前記被係止部を係止する係止部材と、前記係止部材を係止位置に向けて付勢する係止用付勢手段と、前記係止用付勢手段の付勢力に抗して前記係止部材を、前記係止位置から、前記被係止部から離脱した非係止位置まで動作させる係止解除用駆動手段とが配設されて構成されていることを特徴とする請求項１〜５のいずれかに記載の食器洗浄機。
【請求項７】
前記上面扉ロック機構は、前記上面扉の回動支点側と反対側の端部に凹部が形成される一方、前記内側フレームには、前記凹部に嵌入される係止爪が進退自在に設けられるとともに、前記係止爪が前記凹部から離脱するのを阻止する阻止手段が設けられて構成されていることを特徴とする請求項５または６に記載の食器洗浄機。
【発明の詳細な説明】
【技術分野】
【０００１】
本発明は、食器洗浄機に関し、詳しくは、食器洗浄機本体の前面に設けられた前面開口部を通じて洗浄槽を略水平方向に出し入れできるとともに、食器洗浄機本体の上面に設けられた上面開口部を通じて食器類の出し入れを行うことができる食器洗浄機に関する。
【背景技術】
【０００２】
一般に、システムキッチンなどに組み込まれるビルトインタイプの食器洗浄機として、洗浄機本体の前面側に設けられた前面開口部を通じて洗浄槽を略水平方向にスライドさせて出し入れできるようにした、いわゆる前面引き出し式のものがある。しかし、この前面引き出し式のものは、食器類をシンクで軽く濯いだ後に、洗浄機本体の庫内に移す際、食器類からの水滴が床や調理台の上に落下して汚してしまうことが多い。
【０００３】
そこで、従来技術では、洗浄機本体の上面に上面開口部を形成するとともに、この上面開口部を開閉する上面扉を設け、この上面扉を開いて上面開口部を通じて食器類の出し入れを行うことができるようにした上面開閉式の食器洗浄機も提案されている（例えば、下記の特許文献１参照）。この上面開閉式のものは、洗浄機本体の上面を調理台の上面と略同じ位置になるように設定しておけば、食器類をシンクで軽く濯いだ後に、洗浄機本体の上面から庫内に食器類を直接に移して洗浄することができるため、食器類から落下する水滴によって床や調理台を汚してしまう恐れを軽減することができる。
【０００４】
ところが、この上面開閉式のものは、食器類の洗浄、乾燥後において、洗浄機本体の前面開口部を通じて食器類を取り出すことができず、洗浄、乾燥後の食器類を取り出す際にはあくまで上面扉を開く必要がある。そのため、調理中にシンクからの水滴が洗浄機本体の庫内に飛散、落下してせっかく洗浄、乾燥した食器類が再び濡れたり、汚れてしまうといった不具合を生じる。
【０００５】
そこで、従来技術では、洗浄機本体の前面側と上面側とにそれぞれ前面開口部と上面開口部とを形成するとともに、前面開口部には前面扉を、上面開口部には上面扉をそれぞれ設け、双方の扉から食器類の出し入れを行えるようにした構成のものも提案されている（例えば、下記の特許文献２参照）。
【０００６】
この特許文献２記載の構成を有する食器洗浄機をシステムキッチンに組み込んで設置する場合には、食器類をシンクで軽く濯いだ後、上面扉を開いて直接に洗浄機本体の庫内に食器類を移すことができるので、食器類から落下する水滴で床や調理台を汚してしまう恐れがなく、また、食器類の洗浄、乾燥後は、前面扉を開いて洗浄槽を前方に引き出して食器類を取り出すことができるので、シンクからの水滴が直接に洗浄機本体の庫内に飛散、落下して洗浄、乾燥後の食器類が再び濡れたり、汚れてしまうといった不具合発生を軽減できるという利点がある。
【０００７】
【特許文献１】実公平６−３９６３７号公報
【特許文献２】実開平３−９２４５９号公報
【発明の開示】
【発明が解決しようとする課題】
【０００８】
しかし、上記の特許文献２記載の構成を有する食器洗浄機は、前面開口部に設けた前面扉の開閉動作と、上面開口部に設けた上面扉の開閉動作とが何ら互いに連係されていないので、未だ次の不都合がある。
【０００９】
すなわち、引き出し方式の洗浄槽を有する従来の食器洗浄機は、通常、洗浄運転中には前面扉が不注意に開かれて洗浄槽が引き出されないようにロックする機構が設けられているものの、上面開口部に上面扉を設けた場合に、洗浄運転中に洗浄槽がロックされていても、上面扉はロックされているとは限らないので、上面扉が不注意に開かれると、洗浄槽内の洗浄水が上面開口部から外部に噴出、飛散するなどの不具合を生じる。
【００１０】
また、洗浄運転中に使用者が洗浄槽を不注意に引き出そうとした場合に洗浄槽が引き出されてしまうと、洗浄水が前面開口部から外部に噴出、飛散するなどの不具合を生じる恐れがある。
【００１１】
さらに、食器類の洗浄、乾燥が終了して洗浄槽を洗浄機本体から前方に引き出した状態で、不注意に上面扉を開いてしまうと、シンクからの水滴が上面開口部から洗浄機本体内に流入してケーシング底部に水が溜まったり、内部を汚染したり、また上面扉が本体ケーシングと干渉して部品を破損するなどの不具合を生じる。
【００１２】
本発明は、上記の課題を解決するためになされたものであり、洗浄運転中に洗浄槽内の洗浄水が外部に噴出、飛散するなどの不具合発生を確実に防止することができ、また、洗浄槽を前面開口部から引き出した状態で不注意で上面扉が開いてしまって、洗浄機本体内に流入してケーシング底部に水が溜まったり、上面扉が本体ケーシングと干渉して部品を破損したりするなどの不具合発生を確実に防止することができる食器洗浄機を提供することを目的とする。
【課題を解決するための手段】
【００１３】
上記の目的を達成するために、請求項１記載の発明にかかる食器洗浄機は、
洗浄すべき食器類が収容されるように少なくとも上部が開口した洗浄槽と、
前記洗浄槽を収納して洗浄運転を実行する洗浄機本体と、
前記洗浄機本体の前面側に設けられて前記洗浄槽が出し入れされる前面開口部と、
前記洗浄機本体の上面側に設けられて食器類が出し入れされる上面開口部と、
前記前面開口部を開閉する前面扉と、
前記上面開口部を開閉する上面扉と、
前記洗浄槽が前記洗浄機本体から引き出されないようにロックする洗浄槽ロック機構と、
前記上面扉が開放されないようにロックする上面扉ロック機構と、
前記洗浄槽の収納位置を検出する洗浄槽位置検出手段と、
前記上面扉の開閉位置を検出する上面扉位置検出手段と、
前記洗浄運転時と洗浄運転が行われていない待機時に応じて、それぞれ前記洗浄槽位置検出手段および前記上面扉位置検出手段の検出出力に基づいて、前記洗浄槽ロック機構と前記上面扉ロック機構とを互いに連係して制御する制御手段と、
を備えることを特徴としている。
【００１４】
また、請求項２記載の発明にかかる食器洗浄機は、請求項１記載の発明の構成において、前記制御手段は、前記洗浄運転時において、前記洗浄槽ロック機構を制御して前記洗浄槽をロック状態にし、かつ、前記上面扉ロック機構を制御して前記上面扉をロック状態にするものであることを特徴としている。
【００１５】
また、請求項３記載の発明にかかる食器洗浄機は、請求項１記載の発明の構成において、前記制御手段は、前記待機時において、上面扉位置検出手段の検出出力に基づいて上面扉が開かれていると判断した場合には、前記洗浄槽ロック機構を制御して前記洗浄槽をロック状態にする一方、前記洗浄槽位置検出手段の検出出力に基づいて前記洗浄槽が引き出されていると判断した場合には、前記上面扉ロック機構を制御して前記上面扉をロック状態にするものであることを特徴としている。
【００１６】
また、請求項４記載の発明にかかる食器洗浄機は、請求項１記載の発明の構成において、前記制御手段は、洗浄運転指令が入力された場合には、洗浄運転の開始前に予め前記洗浄槽位置検出手段および上面扉位置検出手段の検出出力に基づいて前記洗浄槽が前記洗浄機本体内の所定位置に収納され、かつ、前記上面扉が閉じられているか否かを判断し、前記洗浄槽が洗浄機本体内に収納されていない状態と、前記上面扉が閉じられていない状態の少なくとも一方の状態であるときには警報を発するものであることを特徴としている。
【００１７】
また、請求項５記載の発明に係る食器洗浄機は、請求項１〜４のいずれかに記載の発明の構成において、前記洗浄槽が洗浄機本体内の所定位置まで収納されたときには洗浄槽の上部の前記開口周辺にクランプされ、洗浄槽が洗浄機本体から引き出されたときには洗浄槽から離間するように、洗浄槽の出し入れに応じて連動する内側フレームを備え、前記上面扉はこの内側フレームに開閉自在に取り付けられていることを特徴としている。
【００１８】
また、請求項６記載の発明に係る食器洗浄機は、請求項１〜５のいずれかに記載の発明の構成において、前記洗浄槽ロック機構は、前記洗浄槽に被係止部が配設され、前記洗浄機本体には前記洗浄槽が前記洗浄機本体の所定収納位置に収納されたときに前記被係止部を係止する係止部材と、前記係止部材を係止位置に向けて付勢する係止用付勢手段と、前記係止用付勢手段の付勢力に抗して前記係止部材を、前記係止位置から、前記被係止部から離脱した非係止位置まで動作させる係止解除用駆動手段とが配設されて構成されていることを特徴としている。
【００１９】
また、請求項７記載の発明に係る食器洗浄機は、請求項５または６のいずれかに記載の発明の構成において、前記上面扉ロック機構は、前記上面扉の回動支点側と反対側の端部に凹部が形成される一方、前記内側フレームには、前記凹部に嵌入される係止爪が進退自在に設けられるとともに、前記係止爪が前記凹部から離脱するのを阻止する阻止手段が設けられて構成されていることを特徴としている。
【発明の効果】
【００２０】
本発明（請求項１）によれば、制御手段は、洗浄運転時と待機時の下で、それぞれ洗浄槽位置検出手段および上面扉位置検出手段の検出出力に基づいて、洗浄槽ロック機構と上面扉ロック機構とを互いに連係して制御するので、洗浄運転時および待機時のいずれの状態においても、洗浄水の外部飛散などの不都合を生じたり、使用者に不便を感じさせることなく、食器洗浄機を円滑に稼働させることができる。
【００２１】
また、本発明（請求項２）によれば、制御手段は、洗浄運転時において、洗浄槽ロック機構と上面扉ロック機構とによって洗浄槽および上面扉をいずれもロック状態にするため、洗浄運転時に洗浄槽や上面扉が不注意で開かれることがなく、洗浄槽内の洗浄水が外部に噴出、飛散するなどの不具合発生を確実に防止することができる。
【００２２】
また、本発明（請求項３）によれば、制御手段は、待機時において、上面扉が開かれていると判断した場合には、洗浄槽ロック機構を制御して洗浄槽をロック状態にする一方、洗浄槽が引き出されていると判断した場合には、上面扉ロック機構を制御して上面扉をロック状態にするので、洗浄槽を前面開口部から引き出した状態で不注意で上面扉が開いてしまって、洗浄水が洗浄機本体内に流入してケーシング底部に水が溜まったり、上面扉が本体ケーシングと干渉して部品を破損するなどの不具合発生を確実に防止することができる。
【００２３】
また、本発明（請求項４）によれば、制御手段は、洗浄運転開始前に予め洗浄槽の収納状態と上面扉の開閉状態を調べ、洗浄運転の開始前に洗浄槽が洗浄機本体内に収納されていなかったり、上面扉が閉じられていなかったりした場合には警報を発するので、洗浄運転に移行する前に使用者に注意を促して正常な洗浄運転が可能な状態にさせることができる。
【００２４】
また、本発明（請求項５）によれば、洗浄槽の出し入れに応じて連動する内側フレームを備え、この内側フレームに上面扉が開閉自在に取り付けられているので、洗浄槽が洗浄機本体内に収納された状態では、内側フレームが洗浄槽側に押し付けられてその周囲にクランプされ、かつ、洗浄運転中は上面扉が上面扉ロック機構によってロックされるので、比較的簡単な構成でもって、洗浄運転中に洗浄槽内の洗浄水が上面開口部から外部に噴出、飛散するのを確実に防止することができる。また、洗浄運転後に洗浄槽を洗浄機本体から引き出す際には内側フレームの洗浄槽へのクランプ状態が解除されるため、小さな操作力で洗浄槽を手前に引き出すことができる。
【００２５】
また、本発明（請求項６）によれば、洗浄槽ロック機構は、洗浄機本体との間において洗浄槽を直接にロックする機構であるため、洗浄槽は洗浄機本体に確実にロックされ、したがって、使用者が誤って洗浄槽を強く引っ張った場合にも、洗浄槽が外部に引き出されてしまうという不具合が発生するのを防止することが可能で、洗浄運転中の洗浄水の噴出防止対策を有効に講じることができる。しかも、ロック機構の構成も簡単であり、安価に製作することができる。
【００２６】
また、本発明（請求項７）によれば、上面扉ロック機構は、内側フレームに開閉自在に取り付けられた上面扉をロックするようにしているため、上面扉を内側フレームに確実にロックして洗浄機本体の上面開口部を閉じることができ、かつ、内側フレームの動作に何ら支障を生じることがない。しかも、ロック機構の構成も簡単であり、安価に製作することができる。
【発明を実施するための最良の形態】
【００２７】
以下、本発明の実施例を示して、その特徴とするところをさらに詳しく説明する。
図１は本発明の実施例にかかる食器洗浄機をシステムキッチンに組み込んだ状態を示す斜視図、図２は同食器洗浄機において洗浄槽を引き出した状態の全体構成を示す概略斜視図、図３は同食器洗浄機を一部を省略して示す平面図である。また、図４は同食器洗浄機において上面扉を内側フレームにロックする過程の側面断面図、図５は同食器洗浄機において上面扉を内側フレームにロックする上面扉ロック機構を示す平面図、図６は同食器洗浄機の洗浄槽の引き出し状態を示す側面断面図、図７は同食器洗浄機の引き出し状態における動作説明図、図８は同食器洗浄機の洗浄槽が引き出し状態と収納状態との間の中間状態にある場合を示す側面断面図、図９は同食器洗浄機の洗浄槽の引き出し状態と収納状態との間の中間状態における動作説明図、図１０は同食器洗浄機の洗浄槽の収納状態を示す側面断面図、図１１は同食器洗浄機の収納状態における動作説明図、図１２は同食器洗浄機を構成する洗浄槽の収納状態を、内側フレームと上面扉を除いて示す平面図である。
【００２８】
この実施例の食器洗浄機は、システムキッチンに組み込まれるビルトインタイプのものであって、図１，２および図２０などに示すように、略箱状をした洗浄機本体（本体ケーシング）１を備え、この洗浄機本体１の前面側には洗浄槽２を出し入れするための前面開口部３が、また、洗浄機本体１の上面側には食器類を出し入れするための上面開口部４が形成されている。そして、洗浄機本体１の内側の収納空間内には上述の洗浄槽２が前面開口部３を通して略水平方向に出し入れできるような態様で収容されている。さらに、洗浄機本体１内には、洗浄運転を実行するために、図示しないが、食器洗浄用の洗浄液を循環させるポンプが設けられている。
【００２９】
また、図１〜４などに示すように、洗浄機本体１の内側の上部には、上面開口部４の内周に略沿った外形を有し、かつ、内側に食器類の取り出し用の内側開口１０ａ(点線で示す)が形成された内側フレーム１０が略上下方向に昇降可能に保持された状態で配置され、この内側フレーム１０に上面扉７０が設けられている。そして、この上面扉７０がシステムキッチンの洗い場のシンク１９の横に位置するように設置されている。これにより、洗浄槽２が洗浄機本体１内に収納された状態で上面扉７０を開くと、内側フレーム１０の内側開口１０ａおよび洗浄機本体１の上面開口部４を通して食器類を出し入れして洗浄槽２の食器かご６に載置することができる。
【００３０】
また、洗浄機本体１の内部には、図２，図６などに示すように、洗浄槽２を前面開口部３から出し入れするためのガイド用の左右一対のレール７が配設され、その左右一対のレール７を介して洗浄槽２が洗浄機本体１の収納空間に対して、矢印Ａで示す収納移動方向と、矢印Ｂで示す引き出し移動方向へスライド移動することができるように構成されている。
【００３１】
洗浄槽２は、図２に示すように、その上面側に食器類や洗浄かご６（図６）を出し入れするための開口部２ａが形成され、また、前面側には洗浄機本体１の前面開口部３を開閉する前面扉９が設けられている。この前面扉９には、引き出し用の把手８、および使用者が洗浄運転やその停止を行うための運転／停止スイッチ５７や警告ランプ８１などを有する操作パネル２０が設けられている。
【００３２】
そして、使用者が把手８を把持して、洗浄槽２を引き出し移動方向Ｂへスライド移動させることにより、図２に示すように、洗浄槽２が洗浄機本体１の前方側に引き出されて、食器類５や洗浄かご６を取り出したり収納したりすることが可能になる。また、使用者が、洗浄槽２を収納移動方向Ａへスライド移動させることにより、洗浄機本体１内に洗浄槽２を収納して、食器類５を洗浄したり乾燥したりすることができるように構成されている。
【００３３】
また、内側フレーム１０は、洗浄槽２が洗浄機本体１に収納移動されると洗浄槽２の上部にクランプされた状態となり、洗浄槽が洗浄機本体１から引き出し移動されるとクランプが解除された状態となるように動作するように構成されている。なお、そのための具体的な構成については後に詳述する。
【００３４】
この内側フレーム１０の後端側の左右には、図３に示すように、上面扉７０の開閉用の支持部７１が設けられており、この支持部７１によって上面扉７０が開閉自在に支持されて内側フレーム１０の内側開口１０ａが開閉される。また、上面扉７０の内面には内側フレーム１０との間をシールするシール部材（図示せず）が取り付けられている。
【００３５】
また、内側フレーム１０の前端側の左右には、上面扉７０を閉じたときに当該扉７０を内側フレーム１０にロックする上面扉ロック機構７２が設けられている。この上面扉ロック機構７２は、図４に示すように、上面扉７０の前端部に凹部７３が形成される一方、内側フレーム１０の前端側の内側開口１０ａを臨む位置には、上記凹部７３に嵌入される先端が円弧状に形成された係止爪７４が内側開口１０ａに向けて突出するようにスプリング７５で付勢された状態で進退自在に設けられるとともに、図５に示すように、係止爪７４には嵌入孔７６が形成されている。また、ロック機構７２には、係止爪７４が凹部７３に係止された状態において上記の嵌入孔７６に挿入されるスピンドル７７がロックユニット７８により進退可能に設けられている。
【００３６】
ロックユニット７８は、スピンドル７７を進退駆動するスピンドル駆動モータ７９（図１７参照）やギヤ（図示せず）を有し、このロックユニット７８がロック機構７２に取り付けられている。そして、上面扉７０を閉じる場合には、上面扉７０の前端部が係止爪７４に接した状態になり（図４（イ）参照）、さらに、上面扉７０が下降されると上面扉７０の両側によって係止爪７４がスプリング７５の付勢力に抗して後退され（図４（ロ）参照）、その後さらに上面扉７０が下降されると、係止爪７４がスプリング７５の付勢力によって外方に突出して凹部７３内に係入される（図４（ハ）参照）。そして、図５（ロ）に示すように、係止爪７４が凹部７３に係入された状態においてスピンドル７７が嵌入孔７６内に挿入されると、係止爪７４が後退できないため、上面扉７０が内側フレーム１０にロックされた状態となり、上面扉７０を開くことができなくなる。よって、嵌入孔７６、スピンドル７７およびロックユニット７８が、係止爪７４が凹部７３から離脱するのを阻止する阻止手段を構成している。
【００３７】
さらに、ロック機構７２の係止爪７４に近接した箇所には、図４に示すように、上面扉７０が閉じられた位置にあることを検出するマイクロスイッチ等からなる上面扉位置検出手段としての上面扉位置検出センサ８０が設けられている。
【００３８】
さらにまた、内側フレーム１０の左右の各側部には、カムフォロアとして機能する前後一対のカムピン３７（図７，図９，図１１参照）がそれぞれ外側に向けて突出するように設けられている。また、内側フレーム１０の上部と洗浄機本体１の前端部との間には、内側フレーム１０を洗浄機本体１の前面開口部３側に向けて付勢する左右一対のスプリング３８が介装されている（図２，図３など参照）。
【００３９】
また、洗浄機本体１の内側の上部左右の側端には、図１３に示すように、前後一対の保持舌片２３が内側フレーム１０の各カムピン３７に個別に対応するように洗浄機本体１と一体的に設けられている。そして、各前後一対の保持舌片２３間には、内側フレーム１０を洗浄槽２の上部にクランプするためのクランプ部材２６が上下方向（符号Ｃで示す方向（図７，９，１１参照））に移動可能な状態で嵌入されている。
【００４０】
各クランプ部材２６は、合成樹脂や金属製の成形品からなり、その上部には、内側フレーム１０の前述のカムピン３７がそれぞれ嵌入するカム溝２２が、また、カム溝２２の両端部の外側には各保持舌片２３の上縁に当接して位置決め保持される保持片２４が形成されている。さらに、クランプ部材２６の下部には、洗浄槽２の後述の受け止め面３５（図７(イ)など）が当接することで当該クランプ部材２６の上下方向Ｃへの移動を規制するための当接部２５が形成されている。
【００４１】
前記カム溝２２は、図７に示すように、上下方向に沿った中心線Ｌを中心として左右対称形に略Ｖ字状に形成されており、洗浄槽２が洗浄機本体１内に収納されたときにはカムピン３７はカム溝２２の最下方位置に、洗浄槽２が洗浄機本体１から引き出されたときにはカムピン３７はカム溝２２の最上方位置にそれぞれ移行する。
【００４２】
前記洗浄槽２は、その開口部２ａの外周に沿った各辺に外方に張り出したフランジ部３２（図７(イ)，図９(イ)）が形成され、その内の左右の各フランジ部３２からは下方へ向けて突出する状態で受け止め面３５（図７(イ)，図９(イ)）が形成され、各受け止め面３５の下縁がクランプ部材２６の当接部２５に対向している。
【００４３】
洗浄機本体１の内側後方の上部左右の位置には、内側フレーム開閉操作具としての一対の案内レバー１１（図７，図９）がそれぞれ配置されている。各案内レバー１１は、洗浄機本体１に固定された取付固定部１２、揺動支承軸３９、プッシュレバー１３、および案内ピン１４を備えている。そして、プッシュレバー１３の基端側は、取付固定部１２に設けられた揺動支承軸３９を軸心として揺動自在に取り付けられ、また、先端側には上下方向に沿って延びる円筒状の案内ピン１４が設けられている。
【００４４】
一方、内側フレーム１０の後端部の左右には、洗浄槽２の移動方向と直交する方向に延びる長穴１６（図７(イ)参照）が形成されており、各長穴１６にプッシュレバー１３の先端部の案内ピン１４が常時嵌入されている。これにより、案内ピン１４が長穴１６に沿って摺動する摺動可能範囲内でプッシュレバー１３が揺動し得るので、これに応じて内側フレーム１０もプッシュレバー１３の揺動可能範囲内で前後方向（図７(ロ)の左右方向）に沿って移動するように構成されている。そして、前述のように、内側フレーム１０の左右にはカムピン３７が固定されているので、内側フレーム１０の前後の移動に伴ってカムピン３７は、クランプ部材２６のカム溝２２に沿って摺動する。
【００４５】
また、洗浄槽２の後方端の上部左右には、図１２に示すように、洗浄槽溝１５が案内レバー１１に個別に対応して設けられている。この洗浄槽溝１５は、例えば図７(ロ)に示すように、嵌合手前側当接部１７と奥側当接部１８とで囲まれた状態で形成されており、嵌合手前側当接部１７は洗浄槽２の側面まで延び、また奥側当接部１８は途中で後方側に後退するようにそれぞれ形成されている。そして、各洗浄槽溝１５は、プッシュレバー１３の揺動によってプッシュレバー１３の先端の案内ピン１４と係脱するように構成されている。
【００４６】
また、洗浄機本体１内の後方箇所には、洗浄槽２を収納方向および引き出し方向に移動させる際にその移動力を補助するための左右一対のトグル機構２７（図６，７など参照）が設けられている。
各トグル機構２７は、洗浄槽２の後端部に係合用ピン３６が配設される一方、洗浄機本体１の後端部には、図７(イ)，図９(イ)などに示すように、略Ｌ字状のレバー２９が枢支ピン３１によって揺動自在に設けられ、このレバー２９の枢支ピン３１を挟む一端側には上記の係合用ピン３６に係合する係合用切欠き２８が形成され、他端側は洗浄機本体１に一端が固定されたコイルスプリング３０（図７(イ)，図９(イ)）の他端が取り付けられて構成されている。これにより、レバー２９に対するコイルスプリング３０の付勢力（回動作用方向）が、図９(イ)に示す設定切換位置Ｄを境として時計方向と反時計方向とに切り換わるように構成されている。
【００４７】
また、この実施例では、図１０に示すように、洗浄機本体１内の後部側に洗浄槽ロック機構４０が設けられている。この洗浄槽ロック機構４０は、洗浄運転時には洗浄槽２が洗浄機本体１内に収納されて引き出すことができない状態であるロック状態と、洗浄運転が行われていない状態では洗浄槽２を洗浄機本体１内から自由に引き出すことができる状態であるロック解除状態とを実現することができるように構成されている。
【００４８】
すなわち、この洗浄槽ロック機構４０は、この実施例の場合、具体的には図１４，図１５に示すように、洗浄槽２の後端部に、被係止部としてストライクピン４１を配設するとともに、洗浄槽２が洗浄機本体１の所定の収納位置に収納されたときにストライクピン４１を係止する係止部材としてのフック４２、このフック４２をストライクピン４１の係止位置側に向けて付勢する係止用付勢手段としての捩りバネ４３、この捩りバネ４３の付勢力に抗してフック４２をストライクピン４１の係止位置から、非係止位置まで、すなわちストライクピン４１から離脱した位置まで動作させる係止解除用駆動手段としてのカム４４をそれぞれ配設することにより構成されており、カム４４のカム軸４８には、カム４４を回転駆動するカム駆動モータ(図示せず)が連結されて構成されている。
【００４９】
そして、フック４２は、洗浄機本体１に固定された支軸４５によって揺動可能に支持されるとともに、この支軸４５に巻回された捩りバネ４３によってストライクピン４１の係止位置に向けて付勢（図１５では時計方向に付勢）されている。さらに、フック４２には、ストライクピン４１と対向する先端部分に傾斜部４６が形成されている。この傾斜部４６は、洗浄槽２を所定の収納位置まで移動させたときに、ストライクピン４１が当接して捩りバネ４３による付勢力に抗してフック４２を非係止位置まで円滑に移動させるように作用するものである。なお、洗浄槽２が所定の収納位置まで戻った場合には、再びストライクピン４１がフック４２により係止された状態になる。
【００５０】
また、フック４２の遮光部材４７に近接して、フック４２が係止位置にあって洗浄槽２がロックされたか、あるいは非係止位置にあって洗浄槽２のロックが解除されたかを検出する洗浄槽ロック検出センサ５０が配設されている。この洗浄槽ロック検出センサ５０は、例えば投光部５０ａと受光部５０ｂとが対向配置されたフォトカプラからなる。また、上記フック４２の傾斜部４６と支軸４５を挟んで反対側の位置には、遮光部材４７が突設されている。この実施例の構成においては、図１５(イ)に示すように、フック４２の遮光部材４７が投光部５０ａと受光部５０ｂとの間に介在するときには、受光部５０ｂの出力がオフとなり、フック４２が係止位置にあることが検出される。また、図１５(ロ)に示すように、遮光部材４７が投光部５０ａと受光部５０ｂとの間から離脱したときには、受光部５０ｂの出力がオンとなり、フック４２が非係止位置にあることが検出される。
【００５１】
また、図１６(イ)，(ロ)に示すように、洗浄槽２の後端部には取付板５２が設けられ、この取付板５２に洗浄槽位置検出手段としての洗浄槽位置検出センサ５３が固定されるとともに、この洗浄槽位置検出センサ５３に近接してレバー５４が揺動自在に取り付けられている。また、洗浄機本体１のレール７の取付板５５にはレバー５４に対向する位置にレバー押圧用の突起部５６が形成されている。
【００５２】
この洗浄槽位置検出センサ５３は、洗浄槽２が所定の収納位置にあるか否かを検出するものであって、前述の洗浄槽ロック検出センサ５０と同様、例えば投光部５３ａと受光部５３ｂとが対向配置されたフォトカプラからなる。そして、図１６(イ)に示すように、レバー５４が突起部５５から離間していて投光部５３ａと受光部５３ｂとの間に位置するときには、受光部５３ｂの出力がオフするので、洗浄槽２が所定の収納位置から前方に引き出されていることが検出され、また、図１６(ロ)に示すように、レバー５４が突起部５５に押圧されて投光部５３ａと受光部５３ｂとの間から離脱したときには、受光部５３ｂの出力がオンするので、洗浄槽２が所定の収納位置に収納されたことが検出されるように構成されている。
【００５３】
図１７はこの実施例の食器洗浄機の動作制御系の概略構成を示すブロック図である。
制御手段としてのコントローラ５８は、例えばマイクロコンピュータからなるもので、所定の制御プログラムをインストールすることにより、運転／停止スイッチ５７からの操作信号、前述の洗浄槽ロック検出センサ５０、洗浄槽位置検出センサ５３、および上面扉位置検出センサ８０からの各検出信号に基づいて、洗浄液を循環させるポンプ５９や洗浄槽ロック機構４０のカム４４を駆動するカム駆動モータ６０、および上面扉ロック機構７２のスピンドル７７を駆動するスピンドル駆動モータ７９の各部の動作を制御するように構成されている。なお、このコントローラ５８による制御動作については後でさらに詳述する。
【００５４】
次に、上記構成を備えた食器洗浄機の動作について説明する。
(１)洗浄槽２の収納移動および引き出し移動に伴う内側フレーム１０の動作
洗浄槽２が洗浄機本体１から引き出された状態では、図６，図７(ロ)に示すように、洗浄機本体１の案内ピン１４は洗浄槽溝１５から離脱しており、また内側フレーム１０はスプリング３８で洗浄機本体１の前方開口側に引っ張られているので、各案内ピン１４は内側フレーム１０の長穴１６内の外方端側の位置（以下、引き出し操作位置という）にある。このため、内側フレーム１０のカムピン３７はクランプ部材２６のカム溝２２の最上方位置に移行しており、内側フレーム１０は上昇して洗浄槽２の開口部２ａから離脱している。
【００５５】
この状態から洗浄槽２を収納方向Ａへ次第に移動させていくと、洗浄槽２が図８および図９に示す中間位置に到達するまでの範囲では、洗浄槽溝１５は案内ピン１４に依然として係合しないので、案内ピン１４は引き出し操作位置に保持されている。
【００５６】
そして、洗浄槽２が図８および図９に示す中間位置に到達すると、図９(ロ)に示すように、洗浄槽２の手前側当接部１７が案内ピン１４に当接する。洗浄槽２をさらに収納方向Ａへ移動させると、案内ピン１４が洗浄槽２の手前側当接部１７によって押圧されるので、案内ピン１４は内側フレーム１０の長穴１６に沿って内方に向けて摺動するとともに、洗浄槽溝１５内に嵌入する。これに伴いプッシュレバー１３が図中反時計方向に回動する。このプッシュレバー１３の回動によって内側フレーム１０がスプリング３８の引っ張り力に抗して収納方向Ａへ押し移動される（図９(イ)参照）。そのため、内側フレーム１０のカムピン３７はクランプ部材２６のカム溝２２の最上方位置から最下方位置に向けて移行し、その結果、内側フレーム１０が洗浄槽２の開口部２ａに向けて下降する。
【００５７】
洗浄槽２を最終の収納位置まで移動させると、図１１(ロ)に示すように、各案内ピン１４は内側フレーム１０の長穴１６内の内方端側の位置（以下、収納操作位置という）に移行する。これに伴い、内側フレーム１０のカムピン３７はクランプ部材２６のカム溝２２の最下方位置に移行し、その結果、各クランプ部材２６の当接部２５が、洗浄槽２の受け止め面３５に当接し、クランプ部材２６の開閉方向Ｃへの移動が阻止されるとともに、内側フレーム１０が洗浄槽２側に押し付けられて洗浄槽２の開口部２ａの周囲に確実にクランプされる。しかも、洗浄運転中は、後述のように上面扉７０は上面扉ロック機構７２によって内側フレーム１０に確実にロックされるので、洗浄運転中に洗浄槽２内の洗浄水が上面開口部４および内側フレーム１０の内側開口１０ａを通じて外部に噴出、飛散するなどの不具合を生じることはない。
【００５８】
一方、洗浄運転が終了して、洗浄槽２を最終の収納位置から引き出し方向Ｂへ移動させるときは、上記の説明とは逆の動作となる。すなわち、洗浄槽２の手前側当接部１７による案内ピン１４への押圧作用が解除されるとともに、内側フレーム１０にはスプリング３８の引っ張り力が加わるため、案内ピン１４は内側フレーム１０の長穴１６に沿って収納操作位置から引き出し操作位置に向けて摺動するとともに、内側フレーム１０のカムピン３７はクランプ部材２６のカム溝２２の最下方位置から最上方位置まで移行する。その結果、内側フレーム１０が洗浄槽２の開口部２ａの周囲にクランプされた状態から開放されるので、洗浄槽２を小さな操作力でもって容易に引き出すことができる。
【００５９】
このように、洗浄槽２を収納移動および引き出し移動すると、これに応じて案内レバー１１、クランプ部材２６のカム溝２２、およびスプリング３８の相互作用によって内側フレーム１０が連動して内側フレーム１０のクランプおよび開放操作が行われることになる。
【００６０】
(２)洗浄槽２の収納移動および引き出し移動に伴うトグル機構２７の動作
洗浄槽２を洗浄機本体１の収納空間に収納した状態では、図１０、図１１(イ)に示すように、洗浄槽２から後方に向けて突出する係合用ピン３６が、レバー２９の係合用切欠き２８内に嵌入し、コイルスプリング３０の付勢力に起因するレバー２９の回動力が、洗浄槽２の収納移動方向Ａ側に作用する。
【００６１】
その際、前述のように、洗浄槽２の手前側当接部１７が案内ピン１４に当接してこれを収納移動方向Ａ側に押圧しているので、内側フレーム１０のカムピン３７がカム溝２２内における最下方位置に位置し、その結果、内側フレーム１０が洗浄槽２の開口部２ａの周囲にクランプされた状態となる。
【００６２】
この収納状態から洗浄槽２を引き出し移動方向Ｂ側へ移動すると、レバー２９がコイルスプリング３０の付勢力に抗して引き出し移動方向Ｂ側に回動され、レバー２９が図９(イ)に示した設定切換位置Ｄを越えると、図７(イ)、図８に示すように、コイルスプリング３０の付勢力に起因するレバー２９の回動力が、引き出し移動方向Ｂ側に作用するように切り換わる。これにより、コイルスプリング３０の付勢力によって、洗浄槽２が引き出し移動方向Ｂ側に押し出され、その後、係合用ピン３６が係合用切欠き２８から外れるとともに、前述のように内側フレーム１０の上昇による洗浄槽２からのクランプが解除されるので、洗浄槽２を前面開口部３から洗浄機本体１の外方に引き出すことができるようになる。
【００６３】
この引き出し状態から逆に洗浄槽２を収納移動方向Ａ側へ押し込むと、洗浄槽２から突出する係合用ピン３６がレバー２９の係合用切欠き２８内に嵌入してこれを押圧するので、引き出し時とは逆に、レバー２９をコイルスプリング３０の付勢力に抗して収納移動方向Ａ側に回動させる。そして、レバー２９が設定切換位置Ｄを越えると、レバー２９の回動力が収納移動方向Ａ側に作用するように切り換わるので、コイルスプリング３０の付勢力によって洗浄槽２が収納移動方向Ａ側に引き込まれる。
【００６４】
このように、洗浄槽２の収納移動および引き出し移動に伴って、トグル機構２７のレバー２９に対するコイルスプリング３０の付勢力（回動作用方向）が、設定切換位置Ｄを境として時計方向と反時計方向とに切り換わるので、洗浄槽２の収納移動および引き出し移動を小さな操作力でもって行うことが可能になる。
【００６５】
(３)食器洗浄機の運転／停止などに伴うコントローラ５８による制御動作
以下、コントローラ５８による制御動作の一例について、図１８および図１９に示すフローチャートを参照して説明する。なお、符号Ｓは各処理ステップを意味する。
コントローラ５８は、洗浄運転が終了した時点において、まず、運転／停止スイッチ５７の操作による洗浄運転の開始指令があるか否かを判断する（Ｓ１）。運転／停止スイッチ５７が操作されていなければ、洗浄運転後の待機状態と判断して、上面扉７０のロック状態を解除する（Ｓ２）。すなわち、コントローラ５８は、スピンドル駆動モータ７９を駆動してスピンドル７７を後退させて係止爪７４の嵌入孔７６から離脱させる。
【００６６】
次に、コントローラ５８は、上面扉位置検出センサ８０の検出出力に基づいて上面扉７０が開かれた状態になったか否かを判断する（Ｓ３）。このとき、上面扉７０が開かれずに閉じた状態あると判断した場合には、洗浄槽２のロック状態を解除する（Ｓ４）。すなわち、コントローラ５８は、カム駆動モータ６０を駆動してカム４４を回動させ、フック４２を洗浄槽２のストライクピン４１から離脱させる（図１５(ロ)の状態）。
【００６７】
次に、コントローラ５８は、洗浄槽位置検出センサ５３の検出出力に基づいて洗浄槽２が洗浄機本体１から引き出された状態になったか否かを判断する（Ｓ５）。このとき、洗浄槽２が前方に引き出されておらず、洗浄機本体１内に収納されたままであると判断した場合には、Ｓ３に戻る。また、Ｓ５で洗浄槽２が前方に引き出されていると判断した場合には、上面扉７０をロックする（Ｓ６）。すなわち、上面扉ロック機構７２のスピンドル駆動モータ７９を駆動してスピンドル７７を進出させて係止爪７４を嵌入孔７６に嵌入させる。次に、洗浄槽位置検出センサ５３の検出出力に基づいて、洗浄槽２が洗浄機本体１内の所定位置まで収納されたか否かを判断し（Ｓ７）、洗浄槽２が所定位置に収納されていなければ、Ｓ６に戻って上面扉７０のロック状態を継続する。また、Ｓ７で洗浄槽２が所定位置に収納されたと判断した場合にはＳ１に戻る。
【００６８】
このように、洗浄運転後の待機状態において、洗浄槽２が洗浄機本体１の前面開口部３から引き出された状態になると、これに連係して上面扉７０が内側フレーム１０にロックされる。このため、洗浄槽２が洗浄機本体１から引き出された状態で、不注意で上面扉７０が開放されてしまい、その結果、シンク１９からの水滴が洗浄機本体１内に流入して洗浄機本体１内の底部に水が溜まったり、洗浄機本体１内を汚染したり、上面扉７０が洗浄機本体１と干渉して部品を破損するなどの不具合発生を確実に防止することができる。
【００６９】
しかも、洗浄運転の終了後は、上面扉７０が閉じた状態であれば、洗浄槽２を洗浄機本体１の前面開口部３から手前に引き出すことができるので、洗浄した食器類が再びシンク１９から飛散した水で濡れたり、汚れてしまうといった不具合が生じるのを防止することができる。
【００７０】
また、コントローラ５８は、Ｓ３で上面扉７０が開かれた状態になったと判断した場合には、洗浄槽２を洗浄機本体１にロックする（Ｓ８）。すなわち、カム駆動モータ６０を起動してカム４４を回動し、フック４２によって洗浄槽２のストライクピン４１を係止する（図１５(イ)の状態）。次に、上面扉７０が閉じられたかどうかを判断し（Ｓ９）、上面扉７０が閉じられていなければ、Ｓ８に戻って洗浄槽２のロック状態を継続する。また、Ｓ９で上面扉７０が閉じられたと判断した場合にはＳ１に戻る。
【００７１】
このように、図２０（イ）に示すように、洗浄運転後の食器類が収納された洗浄槽２を洗浄機本体１から手前に引き出して、洗浄後の食器類を取り出した後、洗浄槽２を再び洗浄機本体１内に収納すれば、上面扉７０のロックは解除されて開くことができる。したがって、図２０（ロ）に示すように、上面扉７０を開いて内側フレーム１０の内側開口１０ａおよび上面開口部４を通じて食器類を洗浄槽２の食器かご６内に載置することができる。これにより、洗浄槽２を前面開口部３から手前に引き出さなくても、食器類をシンク１９で軽く濯いだ後、直接に上部から浄機本体１内に収納されている洗浄槽２内に移すことができる。したがって、食器類から落下する水滴で床や調理台を汚してしまう恐れがない。しかも、上面扉７０が開かれると、これに連係して洗浄槽２が洗浄機本体１にロックされるので、上面扉７０が開かれた状態のときに不注意で洗浄槽２が洗浄機本体１の前面開口部３から引き出されてしまうのを確実に防止することができる。
【００７２】
一方、Ｓ１において、運転／停止スイッチ５７が操作されて洗浄運転が指令されたときには、コントローラ５８は、まず、洗浄槽２が洗浄機本体１内に確実に収納されているかどうかを判断する（Ｓ１１）。すなわち、洗浄槽位置検出センサ５３の検出出力がオンになっているか否かを判定する。洗浄槽位置検出センサ５３がオンになっていなければ、洗浄槽２が所定の収納位置に収納されていないので、操作パネル２０に設けられている警告ランプ８１を点滅して使用者に注意を促す（Ｓ１３）。
【００７３】
洗浄槽位置検出センサ５３の検出出力がオンになっていて洗浄槽２が洗浄機本体１内に確実に収納されていると判断した場合には、続いて、上面扉位置検出センサ８０の検出出力に基づいて上面扉７０が閉じられているかどうかを判断する（Ｓ１２）。上面扉７０が閉じられていなければ、操作パネル２０に設けられている警告ランプ８１を点滅して使用者に注意を促す（Ｓ１３）。
【００７４】
洗浄槽２が洗浄機本体１内に確実に収納され、かつ、上面扉７０も閉じられていることが確認されると、コントローラ５８は、洗浄槽ロック機構４０を動作させて洗浄槽２を洗浄機本体１にロックするとともに（Ｓ１４）、上面扉ロック機構７２を動作させて上面扉７０を内側フレーム１０にロックする（Ｓ１５）。すなわち、洗浄槽ロック機構４０のカム駆動モータ６０を起動してカム４４を回動し、フック４２によって洗浄槽２のストライクピン４１を係止する。また、上面扉ロック機構７２のスピンドル駆動モータ７９を駆動してスピンドル７７を進出させ、係止爪７４の嵌入孔７６に嵌入させる。なお、Ｓ１４において、コントローラ５８は、洗浄槽ロック検出センサ５０がオフになっているか否かを判定し、オフになっておればフック４２によって洗浄槽２のストライクピン４１が確実に係止されたと判断する。
【００７５】
こうして、洗浄槽２が洗浄機本体１内に収納されて確実にロックされ、かつ、上面扉７０も閉じられてロックさせた状態になると、コントローラ５８は、初めて、洗浄運転を開始する（Ｓ１６）。これにより、ポンプ５９で加圧された洗浄水が食器類５に吹き付けられて洗浄が実施される。したがって、洗浄運転中に、不注意で洗浄槽２が引き出されたり、上面扉７０が開かれたりして洗浄水が外部に飛散するといった不具合が生じるのを確実に防止することができる。
【００７６】
なお、洗浄運転中は、図１５(イ)に示すように、洗浄槽ロック機構４０の捩りバネ４３の作用によってフック４２がストライクピン４１を確実に係止しているので、洗浄槽２が収納位置にロックされた状態が安定的に保持される。したがって、使用者が不用意に洗浄槽２を強く引っ張った場合にも、洗浄槽２が外部に引き出されてしまうという不具合の発生を確実に防止することができる。
【００７７】
コントローラ５８は、洗浄運転の所定のシーケンスが終了したと判断すると（Ｓ１７）、ポンプ５９を停止した後（Ｓ１９）、Ｓ１に戻る。また、洗浄運転の途中で運転／停止スイッチ５７が操作されて運転停止が指令された場合にも（Ｓ１８）、コントローラ５８は、これに応じてポンプ５９の動作を停止した後（Ｓ１９）、Ｓ１に戻る。
【００７８】
なお、上記実施例の食器洗浄機では、トグル機構２７を設けた例を示したが、このトグル機構２７は必須のものではなく、トグル機構２７を省略した構成とすることもできる。また、上記実施例では、洗浄槽ロック機構４０を洗浄機本体１内の後端部側に設けているが、洗浄槽ロック機構４０の位置は必ずしも洗浄機本体１内の後端部側に設ける必要はなく、洗浄機本体１の前側開口部３を開閉する前面扉９以外の領域であれば、任意の箇所に配設することが可能である。
【００７９】
本発明は、さらにその他の点においても上記実施例に限定されるものではなく、発明の範囲内において、種々の応用、変形を加えることが可能である。
【図面の簡単な説明】
【００８０】
【図１】本発明の実施例にかかる食器洗浄機をシステムキッチンに組み込んだ状態を示す斜視図である。
【図２】本発明の実施例にかかる食器洗浄機において洗浄槽を引き出した状態の全体構成を示す概略斜視図である。
【図３】本発明の実施例にかかる食器洗浄機を一部を省略して示す平面図である。
【図４】本発明の実施例にかかる食器洗浄機において上面扉を内側フレームにロックする過程の側面断面図である。
【図５】本発明の実施例にかかる食器洗浄機において上面扉を内側フレームにロックする上面扉ロック機構を示す平面図である。
【図６】本発明の実施例にかかる食器洗浄機を構成する洗浄槽が引き出し状態にある場合を示す側面断面図である。
【図７】本発明の実施例にかかる食器洗浄機の動作を説明する図であって、洗浄槽が引き出し状態にある場合を示す図である。
【図８】本発明の実施例にかかる食器洗浄機を構成する洗浄槽が引き出し状態と収納状態との間の中間状態にある場合を示す側面断面図である。
【図９】本発明の実施例にかかる食器洗浄機の動作を説明する図であって、洗浄槽が引き出し状態と収納状態の中間状態にある場合を示す図である。
【図１０】本発明の実施例にかかる食器洗浄機を構成する洗浄槽が収納状態にある場合を示す側面断面図である。
【図１１】本発明の実施例にかかる食器洗浄機の動作を説明する図であって、洗浄槽が収納状態にある場合を示す図である。
【図１２】本発明の実施例にかかる食器洗浄機を構成する洗浄槽の収納状態を、内側フレームと上面扉を除いて示す平面図である。
【図１３】本発明の実施例にかかる食器洗浄機を構成するクランプ部材の洗浄機本体への取り付け状態を示す斜視図である。
【図１４】本発明の実施例にかかる食器洗浄機を構成する洗浄槽ロック機構の平面図である。
【図１５】本発明の実施例にかかる食器洗浄機を構成する洗浄槽ロック機構の側面図である。
【図１６】本発明の実施例にかかる食器洗浄機を構成する洗浄槽位置検出センサの取り付け状態を示す要部側面断面図である。
【図１７】本発明の実施例にかかる食器洗浄機の動作制御系の概略構成を示すブロック図である。
【図１８】本発明の実施例にかかる食器洗浄機におけるコントローラによる制御動作の説明に供するフローチャートである。
【図１９】本発明の実施例にかかる食器洗浄機におけるコントローラによる制御動作の説明に供するフローチャートである。
【図２０】本発明の実施例にかかる食器洗浄機における洗浄槽の引き出し状態と上面扉の開放状態を示す斜視図である。
【符号の説明】
【００８１】
１      洗浄機本体（本体ケーシング）
２      洗浄槽
３      前面開口部
４      上面開口部
９      前面扉
１０    内側フレーム
４０    洗浄槽ロック機構
４１    ストライクピン（被係止部）
４２    フック（係止部材）
４３    捩りバネ（係止用付勢手段）
４４    カム（係止解除用駆動手段）
４６    傾斜部
５０    洗浄槽ロック検出センサ（洗浄槽ロック検出手段）
５３    洗浄槽位置検出センサ（洗浄槽位置検出手段）
５７    運転／停止スイッチ
５８    コントローラ（制御手段）
５９    ポンプ
６０    カム駆動モータ
７０    上面扉
７２    上面扉ロック機構
７３    凹部
７４    係止爪
７５    スプリング
７７    スピンドル
７８    ロックユニット
７９    スピンドル駆動モータ
８０    上面扉位置検出センサ（上面扉位置検出手段）
８１    警告ランプ
【図１】
2010099392.tif 000003
【図２】
2010099392.tif 000004
【図３】
2010099392.tif 000005
【図４】
2010099392.tif 000006
【図５】
2010099392.tif 000007
【図６】
2010099392.tif 000008
【図７】
2010099392.tif 000009
【図８】
2010099392.tif 000010
【図９】
2010099392.tif 000011
【図１０】
2010099392.tif 000012
【図１１】
2010099392.tif 000013
【図１２】
2010099392.tif 000014
【図１３】
2010099392.tif 000015
【図１４】
2010099392.tif 000016
【図１５】
2010099392.tif 000017
【図１６】
2010099392.tif 000018
【図１７】
2010099392.tif 000019
【図１８】
2010099392.tif 000020
【図１９】
2010099392.tif 000021
【図２０】
2010099392.tif 000022